(57)【要約】  同一の基地局制御局に制御される基地局間のハードハンドオーバを実現するゲートウェイ装置、通信制御方法、通信制御プログラムを提供することを目的とする。本発明にかかるゲートウェイ装置１０は、複数の基地局とコアネットワークとの間に配置され、複数の基地局に含まれる基地局１が管理するセルから他のセルへの移動局の位置変更の開始に応じて、他のセルを管理する基地局２に対応付けられた基地局制御装置を示す移動先識別子を含む位置変更メッセージを基地局１から受信する受信手段１１と、複数の基地局に包括的に対応付けられた基地局制御装置の識別子と前記移動先識別子が一致するか否かに基づいて、自身の配下に配置された複数の基地局のうち１つとコアネットワークのどちらかに前記メッセージを送信するかを決定し、決定した送信先に前記メッセージを送信する送信手段１２とを備えるものである。
2010122712.tif 000002
【特許請求の範囲】
【請求項１】
複数の基地局とコアネットワークとの間に配置されるゲートウェイ装置であって、
前記複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信する受信手段と、
前記複数の基地局に包括的に対応付けられた基地局制御装置の識別子と前記移動先識別子が一致するか否かに基づいて、自身の配下に配置された前記複数の基地局のうち１つと前記コアネットワークのどちらかに前記メッセージを送信するかを決定し、決定した送信先に前記メッセージを送信する送信手段と、
を備えるゲートウェイ装置。
【請求項２】
前記送信手段は、前記複数の基地局に包括的に対応付けられた基地局制御局の識別子と前記移動先識別子とが一致する場合に、自身の配下に配置された前記複数の基地局の中から前記第２の基地局を特定するとともに、特定された前記第２の基地局に前記位置変更メッセージを送信し、
前記複数の基地局に包括的に対応付けられた基地局制御装置の識別子と前記移動先識別子が一致しない場合に、前記位置変更メッセージを前記コアネットワークに送信する請求項１に記載のゲートウェイ装置。
【請求項３】
前記受信手段は、前記移動局のセル間移動の制御を含む無線リソース管理機能を各々有する前記複数の基地局に含まれる前記第１の基地局から前記位置変更メッセージを受信することを特徴とする請求項１又は２に記載のゲートウェイ装置。
【請求項４】
前記送信手段は、前記複数の基地局装置に包括的に対応付けられた基地局制御局の識別子と前記移動先識別子とが一致し、前記第２の基地局から位置変更の許可を得られた場合に、前記第１の基地局に前記移動局の位置変更メッセージを送信することを特徴とする請求項１乃至３のいずれか１項に記載のゲートウェイ装置。
【請求項５】
前記移動局が前記第２の基地局が管理するセルへの移動を完了した場合に、前記第１の基地局との接続を解除する接続解除手段をさらに備えることを特徴とする請求項１乃至４のいずれか１項に記載のゲートウェイ装置。
【請求項６】
前記接続解除手段が前記第１の基地局との接続を解除した場合に、前記移動局宛てのデータを前記第２の基地局宛てに送信する経路を設定する経路設定手段をさらに備えることを特徴とする請求項１乃至５記載のいずれか１項に記載のゲートウェイ装置。
【請求項７】
複数の基地局とコアネットワークとの間の通信制御を行う通信制御方法であって
複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信するステップと、
前記複数の基地局に包括的に対応付けられた基地局制御装置の識別子と前記移動先識別子が一致するか否かに基づいて、前記第２の基地局と前記コアネットワークのどちらかに前記メッセージを送信するかを決定するステップと、
を備える通信制御方法。
【請求項８】
前記位置変更メッセージの送信先を決定するステップは、複数の基地局装置に包括的に対応付けられた基地局制御局の識別子と前記移動先識別子が一致する場合に、前記第２の基地局に前記位置変更メッセージを送信し、
前記複数の基地局に包括的に対応付けられた基地局制御装置の識別子と前記移動先識別子が一致しない場合に、前記位置変更メッセージを前記コアネットワークに送信することを特徴とする請求項７に記載の通信制御方法。
【請求項９】
前記位置変更メッセージを第１の基地局から受信するステップは、前記移動局のセル間移動の制御を含む無線リソース管理機能を有する前記第１の基地局から前記位置変更メッセージを受信することを特徴とする請求項７又は８に通信制御方法。
【請求項１０】
前記複数の基地局装置に包括的に対応付けられた基地局制御局の識別子と前記移動先識別子が一致し、前記第２の基地局から位置変更の許可を得られた場合に、前記第１の基地局に前記移動局の位置変更メッセージを送信するステップをさらに備える請求項７乃至９のいずれか１項に記載の通信制御方法。
【請求項１１】
前記移動局が前記第２の基地局が管理するセルへの移動を完了した場合に、前記第１の基地局との接続を解除するステップをさらに備えることを特徴とする請求項７乃至１０のいずれか１項に記載の通信制御方法。
【請求項１２】
前記第１の基地局との接続を解除した場合に、前記移動局宛てのデータを前記第２の基地局宛てに送信する経路を設定するステップをさらに備えることを特徴とする請求項７乃至１１記載のいずれか１項に記載の通信制御方法。
【請求項１３】
複数の基地局とコアネットワークとの間に配置されるゲートウェイ装置における通信制御プログラムが格納された非一時的なコンピュータ可読媒体であって、
前記複数の基地局に含まれる第１の基地局が管理するセルから他のセルへの移動局の位置変更の開始に応じて送信される前記他のセルを管理する第２の基地局に対応付けられた基地局制御装置を示す移動先識別子と、前記複数の基地局に包括的に対応付けられた基地局制御装置の識別子が一致するか否かに基づいて、前記複数の基地局のうちの１つと前記コアネットワークのどちらに前記メッセージを送信するかを決定するステップをコンピュータに実行させる通信制御プログラムが格納された非一時的なコンピュータ可読媒体。
【発明の詳細な説明】
【技術分野】
【０００１】
本発明はゲートウェイ装置、通信制御方法、通信制御プログラムに関し、特に基地局の変更制御に関する。
【背景技術】
【０００２】
セルラ通信サービス（携帯電話サービス）の利用者宅内に設置される基地局は、一般的に、フェムト基地局、フェムトセル基地局、又はホーム基地局と呼ばれる。また、フェムト基地局によって形成される小規模なセルはフェムトセルと呼ばれる。これに対して、セルラ通信サービスにおいて数百ｍ〜十数ｋｍの広範なエリアをカバーする基地局によって形成されるセルはマクロセルと呼ばれる。フェムト基地局を用いたサービスにおいては、携帯電話を使用する者は、外出時にはマクロセルを形成する基地局と通信を行う。帰宅した際に、宅内に形成されるフェムトセル内において、フェムト基地局と通信を行う。ここで、セルラ通信サービスでは、通常モビリティ機能を備えており、携帯電話を使用する者が移動している最中でも、通信する基地局を変更することにより、中断を伴わずに通信を継続することができる。マクロセルからフェムトセルに移動した場合においても同様に、通信の中断を伴わずに、携帯電話の通信先をフェムト基地局に変更するモビリティ機能を備えている。【０００３】
ここで、一般的にセルラ通信サービスに用いられる移動通信システムは、少なくとも移動機と、複数の無線基地局と、複数の無線基地局を制御するための基地局制御局と、基地局制御局と有線接続されるコアネットワーク装置とから構成されている。モビリティ機能は、この移動通信システムにおける移動の形態により、以下の２つの機能を実現する。１つ目の機能はソフトハンドオーバと呼ばれるものである。これは、移動機がある無線基地局のセルから他の無線基地局のセルに移動した際に、２つの無線基地局が同一の基地局制御局の管理下に置かれている場合は、基地局制御局の変更を伴わずに無線基地局の変更のみでハンドオーバを実現するものである。さらに、２つの無線基地局が異なる基地局制御局の管理下におかれている場合においても、移動先の無線基地局を制御する基地局制御局と、移動元の無線基地局を制御する基地局制御局を加入者線延長方式により接続することで、移動元の無線基地局を制御する基地局制御局が移動先の無線基地局を管理することが可能となり、実質的に基地局制御局の変更を伴うことがない。【０００４】
これに対して、２つ目の機能はハードハンドオーバと呼ばれるものである。これは、基地局制御局が加入者線延長方式を用いない場合、つまり、基地局制御局同士を接続するインタフェースを持たない場合には、基地局制御局の上位ノードの制御により移動機が移動する前と移動した後で異なる基地局制御局を用いることとなる。この制御はリロケーションとも呼ばれる。【０００５】
ここで、リロケーションを実施する場合のネットワーク構成について図７を用いて説明する。図７のシステムは、基地局装置であるＮｏｄｅＢ７１乃至７２と、基地局制御局（Radio Network Controller；RNC）６１乃至６２と、上位局であるコアネットワーク装置（Core  Network；CN）５１から構成されている。ＮｏｄｅＢ７１は、セル８１を形成しており、ＮｏｄｅＢ７２は、セル８２を形成している。【０００６】
ＲＮＣ６１にはＲＮＣ  ＩＤ（ＲＮＣ  ＩＤ＿６１）が割り当てられる。また、ＲＮＣ６２にはＲＮＣ  ＩＤ（ＲＮＣ  ＩＤ＿６２）が割り当てられる。移動機がセル８１からセル８２へ移動する場合、移動機から通知される情報に従い、ＲＮＣ６１は移動機の移動先のセルをセル８２と特定するともに、移動先のセルを管理しているＲＮＣ６２も特定する。ＲＮＣ６１は、ＣＮ５１に対して移動機がＲＮＣ６２配下のネットワークへ移動したことを通知し、ＣＮ５１がＲＮＣ６２との間に移動機に対するデータ通信経路を確立することにより、移動機の移動が完了する。【０００７】
フェムトセルを用いた通信を行う場合、フェムト基地局同士及びフェムト基地局制御局同士のＩ／Ｆを持たない。そのため、モビリティ制御を行う際には、リロケーション（ハードハンドオーバ）処理が行われることとなる。これより、フェムトセルの普及が進むとともに、効率的なリロケーション処理が行われることが要望されている。【０００８】
特許文献１には、通信を許可されているフェムトセルから、通信を許可されていないフェムトセルへの移動方法が記載されている。この場合、通信を許可されていないフェムトセルを管理する基地局制御局はハンドオーバを拒否し、ハンドオーバを拒否された移動機は、現在位置しているフェムトセルにおける受信電力レベル限界まで通信を続ける。
【先行技術文献】
【特許文献】
【０００９】
【特許文献１】特開２００８−２６３６３２号公報
【発明の概要】
【発明が解決しようとする課題】
【００１０】
ここで、一般的に通信の許可されているフェムトセルからフェムトセルへの移動を行う場合のシステム構成を、図８を用いて説明する。図８のシステムは、フェムト基地局を示すＨＮＢ（Home NodeB）１０１乃至１０４と、複数のフェムト基地局を接続するＨＮＢ−ＧＷ(Home NodeB Gateway)９１乃至９２と、ＨＮＢ−ＧＷ９１乃至９２の上位局であるコアネットワーク装置（ＣＮ）５１から構成されている。ＨＮＢ−ＧＷ９１乃至９２は、ＨＮＢを制御する基地局制御局（ＲＮＣ）の識別子（ＲＮＣ−ＩＤ）を割り当てる機能を有しているものとする。ここで、ＲＮＣ  ＩＤは、ＨＮＢ−ＧＷ毎に割り当てられる。このため、同一ＨＮＢ−ＧＷ内では同一のＲＮＣ  ＩＤが使用されることになるためＨＮＢ１０１とＨＮＢ１０２は同一のＲＮＣ  ＩＤが割り当てられることになる。ＨＮＢ１０３とＨＮＢ１０４も同様に同一のＲＮＣ  ＩＤが割り当てられることになる。【００１１】
この場合、ＨＮＢ１０１からＨＮＢ１０２へ移動する際にもリロケーション処理が行われるが、ＨＮＢ１０１とＨＮＢ１０２には同一のＲＮＣ  ＩＤが付与されている。リロケーション処理は、異なるＲＮＣ  ＩＤを用いて処理を行うため、同一ＨＮＢ−ＧＷ配下のＨＮＢ間の移動時にリロケーション処理が正常に動作しないという問題がある。また、本問題は、フェムトセルを用いたネットワーク構成のみならず、ハードハンドオーバ機能を用いてモビリティを実現しているネットワーク構成にも共通する問題である。【００１２】
本発明はこのような問題点を解決するためになされたものであり、同一の基地局制御局に制御される基地局間のハードハンドオーバを実現するゲートウェイ装置、通信制御方法、通信制御プログラムが格納された非一時的なコンピュータ可読媒体を提供することを目的とする。
【課題を解決するための手段】
【００１３】
本発明の第１の態様にかかるゲートウェイ装置は、複数の基地局とコアネットワークとの間に配置されるゲートウェイ装置であって、前記複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信する受信部と、前記複数の基地局に包括的に対応付けられた基地局制御装置の識別子と前記移動先識別子が一致するか否かに基づいて、自身の配下に配置された前記複数の基地局のうち１つと前記コアネットワークのどちらかに前記メッセージを送信するかを決定し、決定した送信先に前記メッセージを送信する送信部と、を備えるものである。【００１４】
また、本発明の第２の態様にかかる基地局制御方法は、複数の基地局とコアネットワークとの間の通信制御を行う通信制御方法であって、複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信するステップと、前記複数の基地局に包括的に対応付けられた基地局制御装置の識別子と前記移動先識別子が一致するか否かに基づいて、前記第２の基地局と前記コアネットワークのどちらかに前記メッセージを送信するかを決定するステップと、を備えることである。【００１５】
また、本発明の第３の態様にかかる通信制御プログラムが格納された非一時的なコンピュータ可読媒体は、複数の基地局とコアネットワークとの間に配置されるゲートウェイ装置における通信制御プログラムであって、前記複数の基地局に含まれる第１の基地局が管理するセルから他のセルへの移動局の位置変更の開始に応じて送信される前記他のセルを管理する第２の基地局に対応付けられた基地局制御装置を示す移動先識別子と、前記複数の基地局に包括的に対応付けられた基地局制御装置の識別子が一致するか否かに基づいて、前記複数の基地局のうちの１つと前記コアネットワークのどちらに前記メッセージを送信するかを決定するステップをコンピュータに実行させるものである。
【発明の効果】
【００１６】
本発明により、同一の基地局制御局に制御される基地局間のハードハンドオーバを実現するゲートウェイ装置、通信制御方法、通信制御プログラムが格納された非一時的なコンピュータ可読媒体を提供することができる。
【図面の簡単な説明】
【００１７】
【図１】実施の形態１にかかるゲートウェイ装置の構成図である。
【図２】実施の形態１にかかるゲートウェイ装置の構成図である。
【図３】実施の形態１にかかるゲートウェイ装置の保持する情報テーブルである。
【図４】実施の形態１にかかるフェムト基地局の登録手順に関するシーケンスである。
【図５】実施の形態１にかかる移動局の位置変更手順に関するシーケンスである。
【図６】実施の形態１にかかるデータ送信経路変更手順に関するシーケンスである。
【図７】従来のリロケーション処理実行時のシステム構成図である。
【図８】従来のフェムトセルシステムのシステム構成図である。
【発明を実施するための形態】
【００１８】
（実施の形態１）
以下、図面を参照して本発明の実施の形態について説明する。図１は、本発明の実施の形態１にかかるゲートウェイ装置の構成を示している。ゲートウェイ装置１０は、受信部１１と、送信部１２と、を備えている。また、ゲートウェイ装置１０は、基地局１と基地局２とコアネットワーク４０と接続されている装置である。図１においては、基地局１が形成するセルから基地局２が形成するセルに移動局３０が移動した場合を示している。
【００１９】
受信部１１は、基地局１が管理するセルから基地局２が管理するセルへの移動局３０の位置変更の開始に応じて、基地局２に対応付けられた基地局制御装置を示す移動先識別子を含む位置変更メッセージを取得する。ここで基地局制御装置とはゲートウェイ装置を示している。
【００２０】
送信部１２は、ゲートウェイ装置１０配下の複数の基地局に包括的に対応付けられた基地局制御装置の識別子と受信部１１が受信した移動先識別子とが一致する場合は、移動局３０の移動先であるセルを管理する基地局２に位置変更メッセージを送信する。ゲートウェイ装置１０配下の複数の基地局に包括的に対応付けられた基地局制御装置の識別子と受信部１１が受信した移動先識別子とが一致しない場合は、コアネットワークに位置変更メッセージを送信する。
【００２１】
図１に示すゲートウェイ装置の構成により、同一の基地局制御装置の識別子を有する基地局間を移動局が移動する場合においても、同一ゲートウェイ装置配下の移動であることを認識することが可能であり、リロケーション処理を実現することができる。
【００２２】
次に、図２を用いて本発明の実施の形態１にかかるゲートウェイ装置の構成について詳細に説明を行う。
【００２３】
ゲートウェイ装置（以下、「ＨＮＢ（Home NodeB）−ＧＷ（Gateway）」とする）１０は、受信部１１と、送信部１２と識別子判定部１３と、識別子割当部１４と、接続解除部１５と、経路設定部１６と、を備えている。また、ＨＮＢ−ＧＷは、セルラ通信利用者の宅内に設置される複数の基地局（以下、「フェムト基地局：ＨＮＢ（Home NodeB）」とする）と接続する装置である。図２においては、ＨＮＢ−ＧＷ１０は、ＨＮＢ２０及び２１と接続している。さらに、図２は、ＨＮＢ２０が形成するセルからＨＮＢ２１が形成するセルに移動局３０が移動した場合を示している。
【００２４】
ここで、ＨＮＢ２０及びＨＮＢ２１は、移動局３０とＨＮＢ２０又はＨＮＢ２１との間に設定される無線回線の設定もしくは解放等を実行する無線回線制御機能を有するものである。
【００２５】
識別子割当部１４は、ＨＮＢ２０、２１に同一の識別子の割り当てを行う。具体的には、同一の識別子割当部１４に接続されるＨＮＢには、同一の基地局制御装置識別子（以下、「ＲＮＣ−ＩＤ」とする）を割り当てる。つまり、ＨＮＢ２０とＨＮＢ２１とには同一のＲＮＣ−ＩＤが割り当てられる。これより、同一のゲートウェイ装置に接続されるフェムト基地局は同一のＲＮＣ−ＩＤが割り当てられることになる。
【００２６】
受信部１１は、移動局３０がＨＮＢ２０の管理するセルからＨＮＢ２１の管理するセルに位置を変更したことをＨＮＢ２０が検出した場合に、ＨＮＢ２１に対応付けられたＲＮＣ−ＩＤを含む位置変更メッセージをＨＮＢ２０から受信する。受信部１１は、取得したＲＮＣ−ＩＤを識別子判定部１３に出力する。
【００２７】
ここで、ＨＮＢ２０は、近隣セルのネットワーク情報（以下、「Ｇｌｏｂａｌ  Ｃｅｌｌ  ＩＤ」とする）を収集し、近隣セルリストの生成を行っている。この時、近隣セルのＧｌｏｂａｌ  Ｃｅｌｌ  ＩＤを収集するとともに、Ｇｌｏｂａｌ  Ｃｅｌｌ  ＩＤに対応付けられているＲＮＣ−ＩＤも併せて収集してもよい。これにより、ＨＮＢ２０は、ＨＮＢ２１に割り当てられているＲＮＣ−ＩＤを受信部１１に対して通知することが可能となる。
【００２８】
識別子判定部１３は、通信制御プログラムに基づいて動作する制御コンピュータ（例えば、マイクロプロセッサユニット）により構成される。識別子判定部１３は、受信部１１が受信したＨＮＢ２１のＲＮＣ−ＩＤと、ＨＮＢ２０のＲＮＣ−ＩＤと、が同一か否かを判定する。ＨＮＢ−ＧＷ１０は、図３に示す情報テーブルを保持している。具体的には、ＨＮＢ−ＧＷ１０は、ＨＮＢと、ＲＮＣ−ＩＤと、Ｃｅｌｌ−ＩＤを対応付けて管理する情報テーブルを保持している。ＨＮＢはフェムト基地局を識別するものであり、ＨＮＢ２０、２１とする情報を有する。ＲＮＣ−ＩＤは、ＨＮＢ２０と２１が割り当てられたＲＮＣ−ＩＤを示すものである。ここでは、同一のＨＮＢ−ＧＷ１０から割り当てられているため、同一のＲＮＣ−ＩＤを示している。図２の例では、ＲＮＣ−ＩＤを２１１としている。Ｃｅｌｌ−ＩＤとは、ＨＮＢ２０、２１が形成するエリアを識別するＩＤであり、図２の例では、ＨＮＢ２０の形成するエリアをＣｅｌｌ＃ＡＡとし、ＨＮＢ２１の形成するエリアをＣｅｌｌ＃ＢＢとしている。
【００２９】
本発明の実施の形態１においては、識別子判定部１３は、ＨＮＢ２０とＨＮＢ２１のＲＮＣ−ＩＤは同一と判定をし、ＨＮＢ２０とＨＮＢ２１はともに、ＨＮＢ−ＧＷ１０の配下に接続されているフェムト基地局であると判断することができる。つまり、識別子判定部１３は、移動局３０が同一のＨＮＢ−ＧＷ配下のセル間を移動したものと判断することができる。識別子判定部１３は、判定結果を送信部１２に出力する。
【００３０】
送信部１２は、識別子判定部１３からＨＮＢ２０とＨＮＢ２１のＲＮＣ−ＩＤが同一であるとする判定結果を取得した場合、移動局３０の移動先のセルを形成するＨＮＢ２１に対して、移動局３０の位置変更メッセージを送信する。ここで、ＨＮＢ２０とＨＮＢ２１は同一のＲＮＣ−ＩＤを有しており、移動局３０が移動することにより、ＨＮＢ−ＧＷ１０が変更されることはない。これより送信部１３は、ゲートウェイ装置の上位局であるコアネットワーク装置に対して位置変更通知を行わない。
【００３１】
接続解除部１５は、移動元のフェムト基地局であるＨＮＢ２０とのコネクションを解除する。具体的には、移動局３０が、ＨＮＢ２１が形成するセルへ移動を完了した際に通知される完了通知を取得すると、接続解除部１５は、ＨＮＢ−ＧＷ１０とＨＮＢ２０を接続しているＩｕ−ｈインタフェースのコネクションを解放する。
【００３２】
経路設定部１６は、接続解除部１５により、ＨＮＢ−ＧＷ１０と移動元のフェムト基地局であるＨＮＢ２０とのコネクションが解放された場合に、コアネットワークから送信されるデータを移動局３０に出力するために、ＨＮＢ２１とＨＮＢ−ＧＷの間に経路を設定する。
【００３３】
次に、図４乃至図６を用いて、装置間の信号の送受信について説明する。図４は、ＨＮＢ２０及びＨＮＢ２１が宅内等に設置される際の信号の送受信について示したものである。
【００３４】
はじめに、ＨＮＢ２０は、フェムト管理サーバ（図示せず）からＣｅｌｌ  ＩＤを取得する。Ｃｅｌｌ  ＩＤは、ＨＮＢ２０が形成するエリアを識別するものである。さらに、ＨＮＢ２０は、周囲の環境をモニタリングすることで近隣セルのネットワーク情報（Ｇｌｏｂａｌ  Ｃｅｌｌ  ＩＤ）を収集し、ＨＮＢ２０が使用する近隣セルリストの生成を行う（Ｓ１）。ここで、ＨＮＢ２０は、近隣セルのネットワーク情報を収集する際に、Ｇｌｏｂａｌ  Ｃｅｌｌ  ＩＤに対応付けられているＲＮＣ−ＩＤも併せて取得してもよい。これにより、近隣のＨＮＢを制御している基地局制御局及びゲートウェイ装置についての情報を得ることができる。
【００３５】
次に、ＨＮＢ２０は、割り当てられたＣｅｌｌ  ＩＤをＨＮＢ−ＧＷ１０に通知し、新規のＨＮＢとして登録を依頼する（Ｓ２）。具体的には、ＨＮＢＡＰ（HNB Application Part）：ＨＮＢ  Ｒｅｇｉｓｔｅｒ  ＲｅｑｕｅｓｔメッセージによりＣｅｌｌ  ＩＤを通知する。ここで、Ｃｅｌｌ  ＩＤは、Ｃｅｌｌ  ＩＤ＃ＡＡとする。また、ＨＮＢＡＰメッセージは、ＨＮＢとＨＮＢ−ＧＷ間で終端されるメッセージである。
【００３６】
次に、ＨＮＢ−ＧＷ１０は、登録に問題ないＨＮＢであれば登録を許可する。さらに、ＨＮＢ−ＧＷ１０は、モビリティ機能で使用するＲＮＣ−ＩＤをＨＮＢ２０に通知する。（Ｓ３）。具体的には、登録に問題ないＨＮＢとは、予めセルラ通信利用者の宅内への設置が許可されているＨＮＢであることを示している。また、ＨＮＢ２０へは、ＨＮＢＡＰ：ＨＮＢ  Ｒｅｇｉｓｔｅｒ  ＡｃｃｅｐｔメッセージによりＲＮＣ−ＩＤを通知する。ここで、ＲＮＣ−ＩＤはＲＮＣ−ＩＤ＃２１１とする。
【００３７】
次に、ＨＮＢ２０は、ＨＮＢ−ＧＷ１０から通知されたＲＮＣ−ＩＤと、フェムト管理サーバから取得したＣｅｌｌ  ＩＤとを用いて報知情報に設定するＧｌｏｂａｌ  Ｃｅｌｌ  ＩＤを生成する（Ｓ４）。報知情報とは具体的には、移動通信システムへの接続設定時や接続中に必要な情報や他システムに関する情報を事前に報知するものである。ここで、ＩＭＴ−２０００システムにおける報知情報は主要情報ブロック（Master Information Block：MIB）と、従属するシステムブロック（System Information Block：SIB）とから構成される。ＭＩＢ及びＳＩＢは複数のブロックから構成されており、Ｇｌｏｂａｌ  Ｃｅｌｌ  ＩＤは、例えばＳＩＢ３(ＳＩＢの３番目のブロック)に設定される。
【００３８】
次に、ＨＮＢ２１もＳ１乃至Ｓ４と同様の手順（Ｓ５乃至Ｓ８）を実行する。
【００３９】
図４に示す処理を実施することで、ＨＮＢ−ＧＷ１０配下でＨＮＢ２０、ＨＮＢ２１の登録が完了する。これにより、ＨＮＢ２０とＨＮＢ２１は、無線電波を送信しサービスを開始することができる。ＨＮＢ−ＧＷ１０は、図３に示す情報テーブルを保持することとなる。
【００４０】
次に、図５及び図６を用いて本発明の実施の形態１にかかるフェムトセル間のモビリティ手順について説明する。本手順においては、移動局３０は、ＨＮＢ２０が形成するセルからＨＮＢ２１が形成するセルへ移動することを前提とする。
【００４１】
はじめに、移動局（以下「ＵＥ（User Equipment）」とする）３０は、周囲に配置されているセルとの通信品質を示す情報をＨＮＢ２０に通知する（Ｓ９）。具体的には、移動局３０は、ＲＲＣ（Radio Resource Control）プロトコルのＭｅａｓｕｒｅｍｅｎｔ  Ｒｅｐｏｒｔにより、ＵＥ３０と無線リンクが確立されているセル及びその隣接セルにおける無線品質をＨＮＢ２０に通知する。ＲＲＣとはＵＥとＨＮＢ間の無線回線を制御するプロトコルであり、主にＩＭＴ−２０００システムのＷ−ＣＤＭＡ方式において用いられているプロトコルである。
【００４２】
次に、ＨＮＢ２０は、取得した隣接セルにおける無線品質から、ＵＥ３０の最適な移動先のセルを決定する。さらに、ＨＮＢ２０は、ＲＮＣ  ＩＤとＣｅｌｌ  ＩＤを対応付けて管理している近隣セルリストより、移動先のセルを形成する基地局に割り当てられているＲＮＣ  ＩＤを特定する（Ｓ１０）。ここで、移動先のセルの識別子をＴａｒｇｅｔ  Ｃｅｌｌ  ＩＤとし、移動先の基地局に割り当てられている識別子をＴａｒｇｅｔ  ＲＮＣ−ＩＤとする。
【００４３】
次に、ＨＮＢ２０は、Ｔａｒｇｅｔ  ＲＮＣ−ＩＤとＴａｒｇｅｔ  Ｃｅｌｌ  ＩＤをＨＮＢ−ＧＷ１０に通知する（Ｓ１１）。具体的には、ＲＵＡ（RANAP User Adaption）：Ｄｉｒｅｃｔ  Ｔｒａｎｓｆｅｒ（ＲＡＮＡＰ（Radio Access Network Application Part）：Ｒｅｌｏｃａｔｉｏｎ  Ｒｅｑｕｉｒｅｄ）メッセージを用いてＨＮＢ−ＧＷ１０に通知する。ＲＡＮＡＰとは、無線ネットワークとコアネットワーク間を制御するプロトコルであり、具体的には、ＨＮＢとコアネットワーク装置間の制御に用いられるものである。フェムトセルを用いたシステムにおいては、ＵＥがＨＮＢ間を移動した場合にリロケーション処理が実行されることから、基地局制御局（実施の形態１においては、ＨＮＢ−ＧＷ）の切り替え制御を行うコアネットワーク装置へメッセージを送信するため、ＨＮＢ２０はＲＵＡメッセージを送信する。
【００４４】
次に、ＨＮＢ−ＧＷ１０は、取得したＲＵＡ：Ｄｉｒｅｃｔ  Ｔｒａｎｓｆｅｒ（ＲＡＮＡＰ：Ｒｅｌｏｃａｔｉｏｎ  Ｒｅｑｕｉｒｅｄ）メッセージに設定されているＴａｒｇｅｔ  ＲＮＣ−ＩＤが、ＨＮＢ−ＧＷ１０を構成する識別子割当部１４によって割り当てられたＲＮＣ−ＩＤと同一であることから、Ｔａｒｇｅｔ  ＣｅｌｌがＨＮＢ−ＧＷ１０配下のセルであることを検出する（Ｓ１２）。
【００４５】
次に、ＨＮＢ−ＧＷ１０は、通常のリロケーション処理であれば、上位ノードであるコアネットワーク装置にＲＵＡメッセージを転送する。これは、コアネットワーク装置において異なるＲＮＣ−ＩＤを有する基地局制御局の変更制御を行うためである。しかし、ＨＮＢ−ＧＷ１０は、Ｔａｒｇｅｔ  ＣｅｌｌがＨＮＢ−ＧＷ１０配下のＣｅｌｌであることを検出することにより、コアネットワーク装置にメッセージの転送を行うことなく、ＨＮＢ２１に対して、ＵＥ３０がＨＮＢ２１の形成するセルへ移動することを通知する（Ｓ１３）。具体的には、ＲＵＡ  Ｄｉｒｅｃｔ  Ｔｒａｎｓｆｅｒ（ＲＡＮＡＰ  Ｒｅｌｏｃａｔｉｏｎ  Ｒｅｑｕｉｒｅｄ）メッセージにより通知を行う。
【００４６】
次に、ＨＮＢ２１は、ＲＵＡ  Ｄｉｒｅｃｔ  Ｔｒａｎｓｆｅｒ（ＲＡＮＡＰ  Ｒｅｌｏｃａｔｉｏｎ  Ｒｅｑｕｉｒｅｄ）メッセージを受け付けたことをＨＮＢ−ＧＷ１０に通知する（Ｓ１４）。具体的には、ＲＵＡ  Ｄｉｒｅｃｔ  Ｔｒａｎｓｆｅｒ（ＲＡＮＡＰ  Ｒｅｌｏｃａｔｉｏｎ  Ｒｅｑｕｉｒｅｄ  ＡＣＫ）メッセージにより通知を行う。
【００４７】
次に、ＨＮＢ−ＧＷ１０は、Ｓ１２の処理と同様、コアネットワーク装置にＲＵＡメッセージを転送することなく、ＨＮＢ２０に対して、ＵＥ３０の移動先であるＨＮＢ２１からＵＥ３０の移動の許可が出たことを通知する（Ｓ１６）。具体的には、ＲＵＡ  Ｄｉｒｅｃｔ  Ｔｒａｎｓｆｅｒ（ＲＡＮＡＰ  Ｒｅｌｏｃａｔｉｏｎ  Ｃｏｍｍａｎｄ）メッセージにより通知を行う。
【００４８】
次に、ＨＮＢ２０は、ＲＵＡ  Ｄｉｒｅｃｔ  Ｔｒａｎｓｆｅｒ（ＲＡＮＡＰ  Ｒｅｌｏｃａｔｉｏｎ  Ｃｏｍｍａｎｄ）メッセージの取得をトリガーにＵＥ３０に対してＨＮＢ２１が形成するセルへの移動を要求する。具体的には、ＲＲＣ：Ｒａｄｉｏ  Ｂｅａｒｅｒ  ＲｅｃｏｎｆｉｇｕｒａｔｉｏｎメッセージによりＵＥ３０に対してＨＮＢ２１との間に無線ベアラを設定することを要求する。
【００４９】
図５の処理を実施することで、コアネットワーク装置の処理を用いずに、ＵＥ３０に対して移動先セルの基地局との無線ベアラ設定を要求することができる。
【００５０】
次に、図６を用いてＵＥの移動先ＨＮＢ２１との接続手順について説明する。
【００５１】
はじめに、ＵＥ３０は、ＨＮＢ２１と無線同期を行う（Ｓ１８）。無線同期は、ＨＮＢ２１から送信される同期チャネル等を用いてＵＥ３０とＨＮＢ２１の無線同期を行ってもよい。
【００５２】
次に、ＨＮＢ２１は、ＵＥ３０とＨＮＢ２１の無線同期が確立したことを検出する（Ｓ１９）。無線同期が確立したことは、例えば、ＵＥ３０からＨＮＢ２１に送信されるパイロットチャネルのビットと、ＨＮＢ２１が有する参照用のパイロットチャネルのビットを比較して、不一致となるビットが特定の閾値を下回る場合に無線同期の確立を検出してもよい。
【００５３】
次に、ＨＮＢ２１は、ＵＥ３０の移動を検出したことをＨＮＢ−ＧＷ１０に通知する（Ｓ２０）。具体的には、ＲＵＡ  Ｄｉｒｅｃｔ  Ｔｒａｎｓｆｅｒ（ＲＡＮＡＰ  Ｒｅｌｏｃａｔｉｏｎ  Ｄｅｔｅｃｔ）メッセージにより通知を行う。この場合においても、フェムトセルシステムにおけるＨＮＢ間移動時にはリロケーション処理を実行することから、コアネットワーク装置へメッセージを送信するために、ＨＮＢは、ＲＵＡメッセージを送信する。
【００５４】
次に、ＨＮＢ−ＧＷ１０は、ＵＥ３０の移動がＨＮＧ−ＧＷ１０配下の移動であるため、コアネットワーク装置にはＲＵＡメッセージの転送は行わず、ＨＮＢ−ＧＷでメッセージを終端する（Ｓ２１）。
【００５５】
次に、ＵＥ３０は、ＨＮＢ２０が形成するセルからＨＮＢ２１が形成するセルへの移動が完了したことをＨＮＢ２１に通知する（Ｓ２２）。具体的には、ＲＲＣ：Ｒａｄｉｏ  Ｂｅａｒｅｒ  Ｒｅｃｏｎｆｉｇｕｒａｔｉｏｎ  Ｃｏｍｐｌｅｔｅメッセージにより通知する。これにより、ＵＥ３０とＨＮＢ３２の間の仮想コネクションである無線ベアラを確立したことを示し、以後のデータ送受信が可能となる。
【００５６】
次に、ＨＮＢ２１は、ＵＥ３０がＨＮＢ２０の形成するセルからＨＮＢ２１の形成するセルへの移動が完了したことをＨＮＢ−ＧＷ１０に通知する（Ｓ２３）。具体的には、ＲＵＡ  Ｄｉｒｅｃｔ  Ｔｒａｎｓｆｅｒ（ＲＡＮＡＰ  Ｒｅｌｏｃａｔｉｏｎ  Ｃｏｍｐｌｅｔｅ）により通知する。
【００５７】
次に、ＨＮＢ−ＧＷ１０は、ＨＮＢ２１からのＲＵＡ  Ｄｉｒｅｃｔ  Ｔｒａｎｓｆｅｒ（ＲＡＮＡＰ  Ｒｅｌｏｃａｔｉｏｎ  Ｃｏｍｐｌｅｔｅ）メッセージ取得により、ＵＥ３０がＨＮＢ２１の形成するセルへの移動が完了したことを認識する。これにより、ＨＮＢ−ＧＷ１０は、ＨＮＢ２０に対してコネクションの解放処理を実施する（Ｓ２４）。具体的には、ＨＮＢとＨＮＢ−ＧＷはＩｕ−ｈインタフェースにより接続されているため、Ｉｕ−ｈコネクションの解放処理を実施する。この時、ＨＮＢ−ＧＷ１０は、ＨＮＢ２０に対してＲＵＡ  Ｄｉｒｅｃｔ  Ｔｒａｎｓｆｅｒ（ＲＡＮＡＰ  Ｉｕ  Ｒｅｌｅａｓｅ  Ｃｏｍｍａｎｄ）メッセージを通知する。
【００５８】
次に、ＨＮＢ２０は、ＨＮＢ−ＧＷよりＲＵＡ  Ｄｉｒｅｃｔ  Ｔｒａｎｓｆｅｒ（ＲＡＮＡＰ  Ｉｕ  Ｒｅｌｅａｓｅ  Ｃｏｍｍａｎｄ）メッセージを取得した後に、ＲＵＡ  Ｄｉｒｅｃｔ  Ｔｒａｎｓｆｅｒ（ＲＡＮＡＰ  Ｉｕ  Ｒｅｌｅａｓｅ  Ｃｏｍｐｌｅｔｅ）メッセージをＨＮＢ−ＧＷ１０に通知する（Ｓ２５）。これにより、ＨＮＢ２０とＨＮＢ−ＧＷ間のＩｕ−ｈコネクションは解放されることとなる。
【００５９】
次に、ＨＮＢ−ＧＷ１０は、ＵＥ３０宛てのデータをＨＮＢ２１向けに転送するために経路変更を実施する（Ｓ２６）。コアネットワーク装置は、ＵＥ３０がＨＮＢ２０又はＨＮＢ２１のどちらのセルに属しているかを意識することなく、ＨＮＢ−ＧＷ１０に対してＵＥ３０向けのデータを送信する。コアネットワーク装置からＵＥ３０向けのデータを受信したＨＮＢ−ＧＷ１０は、ＵＥ３０に対して、ＵＥ３０の移動先であるＨＮ２1を経由してデータを送信する。
【００６０】
以上説明したように、本発明の実施の形態１にかかるゲートウェイ装置を用いることにより、移動局がフェムト基地局間を移動する際に実行するリロケーション処理において、ＨＮＢ−ＧＷでメッセージを終端し、移動先セルのフェムト基地局にメッセージを送信することで、同一ＨＮＢ−ＧＷ内のフェムト基地局間のモビリティを実現できる。
【００６１】
また、同一ＲＮＣ−ＩＤを用いているセル間においても、リロケーション処理によるモビリティを実現できる。
【００６２】
また、コアネットワーク装置に変更を加えることなく、移動局の同一ＨＮＢ−ＧＷ内のフェムト基地局間のモビリティを実現できる。
【００６３】
また、フェムト基地局は、移動先のネットワークを意識することなく、移動局のモビリティを実現できる。ここで、移動先のネットワークとは、マクロセル、異なるＨＮＢ−ＧＷ配下のフェムトセル、同一ＨＮＢ−ＧＷ配下のフェムトセルを含むものである。
【００６４】
（その他の実施の形態）
同一ＨＮＢ−ＧＷ配下のＨＮＢ間の移動の場合に、ＨＮＢ−ＧＷがＲＵＡメッセージをコアネットワーク装置に転送し、コアネットワーク装置がＲＵＡメッセージを送信してきたＨＮＢ−ＧＷにメッセージの折り返しを実施する手段を設けることで、ＨＮＢ間のモビリティを実現する。
【００６５】
これにより、ＨＮＢ−ＧＷには変更を加えることなく、移動局の同一ＨＮＢ−ＧＷ内のフェムト基地局間のモビリティを実現できる。
【００６６】
また、フェムト基地局にて保有する近隣セルリストのＲＮＣ−ＩＤから、移動先セルが同一ＨＮＢ−ＧＷ配下かどうかの判定を実施する。さらに、コアネットワーク装置にメッセージを送信する目的で用いられるＲＵＡメッセージではなく、ＨＮＢ−ＧＷ装置で終端されるＨＮＢＡＰメッセージを用いて移動局の移動要求をＨＮＢ−ＧＷに通知することでＨＮＢ間のモビリティを実現する。
【００６７】
これにより、ＨＮＢ−ＧＷには変更を加えることなく、移動局の同一ＨＮＢ−ＧＷ内のフェムト基地局間のモビリティを実現できる。
【００６８】
なお、本発明は上記実施の形態に限られたものではなく、趣旨を逸脱しない範囲で適宜変更することが可能である。また、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
以上、実施の形態を参照して本願発明を説明したが、本願発明は上記によって限定されるものではない。本願発明の構成や詳細には、発明のスコープ内で当業者が理解し得る様々な変更をすることができる。
【００７０】
この出願は、２００９年４月２０日に出願された日本出願特願２００９−１０２０３４を基礎とする優先権を主張し、その開示の全てをここに取り込む。
【符号の説明】
【００７１】
１、２  基地局
１０  ゲートウェイ装置
１１  受信部
１２  送信部
１３  識別子判定部
１４  識別子割当部
１５  接続解除部
１６  経路設定部
２０、２１  フェムト基地局
３０  移動局
【図１】
2010122712.tif 000003
【図２】
2010122712.tif 000004
【図３】
2010122712.tif 000005
【図４】
2010122712.tif 000006
【図５】
2010122712.tif 000007
【図６】
2010122712.tif 000008
【図７】
2010122712.tif 000009
【図８】
2010122712.tif 000010
【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
複数の基地局とコアネットワークとの間に配置されるゲートウェイ装置であって、
前記複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信する受信手段と、
前記複数の基地局に包括的に対応付けられた基地局制御装置の識別子と前記移動先識別子が一致するか否かに基づいて、自身の配下に配置された前記複数の基地局のうち１つと前記コアネットワークのどちらかに前記メッセージを送信するかを決定し、決定した送信先に前記メッセージを送信する送信手段と、
を備えるゲートウェイ装置。
【請求項２】
前記送信手段は、前記複数の基地局に包括的に対応付けられた基地局制御局の識別子と前記移動先識別子とが一致する場合に、自身の配下に配置された前記複数の基地局の中から前記第２の基地局を特定するとともに、特定された前記第２の基地局に前記位置変更メッセージを送信し、
前記複数の基地局に包括的に対応付けられた基地局制御装置の識別子と前記移動先識別子が一致しない場合に、前記位置変更メッセージを前記コアネットワークに送信する請求項１に記載のゲートウェイ装置。
【請求項３】
前記受信手段は、前記移動局のセル間移動の制御を含む無線リソース管理機能を各々有する前記複数の基地局に含まれる前記第１の基地局から前記位置変更メッセージを受信することを特徴とする請求項１又は２に記載のゲートウェイ装置。
【請求項４】
前記送信手段は、前記複数の基地局装置に包括的に対応付けられた基地局制御局の識別子と前記移動先識別子とが一致し、前記第２の基地局から位置変更の許可を得られた場合に、前記第１の基地局に前記移動局の位置変更メッセージを送信することを特徴とする請求項１乃至３のいずれか１項に記載のゲートウェイ装置。
【請求項５】
前記移動局が前記第２の基地局が管理するセルへの移動を完了した場合に、前記第１の基地局との接続を解除する接続解除手段をさらに備えることを特徴とする請求項１乃至４のいずれか１項に記載のゲートウェイ装置。
【請求項６】
前記接続解除手段が前記第１の基地局との接続を解除した場合に、前記移動局宛てのデータを前記第２の基地局宛てに送信する経路を設定する経路設定手段をさらに備えることを特徴とする請求項１乃至５記載のいずれか１項に記載のゲートウェイ装置。
【請求項７】
複数の基地局とコアネットワークとの間の通信制御を行う通信制御方法であって
複数の基地局に含まれる第１の基地局が管理するセルから他のセルへの移動局の位置変更の開始に応じて、前記他のセルを管理する第２の基地局に対応付けられた基地局制御装置を示す移動先識別子を含む位置変更メッセージを前記第１の基地局から受信するステップと、
前記複数の基地局に包括的に対応付けられた基地局制御装置の識別子と前記移動先識別子が一致するか否かに基づいて、前記第２の基地局と前記コアネットワークのどちらかに前記メッセージを送信するかを決定するステップと、
を備える通信制御方法。
【請求項８】
前記位置変更メッセージの送信先を決定するステップは、複数の基地局装置に包括的に対応付けられた基地局制御局の識別子と前記移動先識別子が一致する場合に、前記第２の基地局に前記位置変更メッセージを送信し、
前記複数の基地局に包括的に対応付けられた基地局制御装置の識別子と前記移動先識別子が一致しない場合に、前記位置変更メッセージを前記コアネットワークに送信することを特徴とする請求項７に記載の通信制御方法。
【請求項９】
前記位置変更メッセージを第１の基地局から受信するステップは、前記移動局のセル間移動の制御を含む無線リソース管理機能を有する前記第１の基地局から前記位置変更メッセージを受信することを特徴とする請求項７又は８に通信制御方法。
【請求項１０】
前記複数の基地局装置に包括的に対応付けられた基地局制御局の識別子と前記移動先識別子が一致し、前記第２の基地局から位置変更の許可を得られた場合に、前記第１の基地局に前記移動局の位置変更メッセージを送信するステップをさらに備える請求項７乃至９のいずれか１項に記載の通信制御方法。
【請求項１１】
前記移動局が前記第２の基地局が管理するセルへの移動を完了した場合に、前記第１の基地局との接続を解除するステップをさらに備えることを特徴とする請求項７乃至１０のいずれか１項に記載の通信制御方法。
【請求項１２】
前記第１の基地局との接続を解除した場合に、前記移動局宛てのデータを前記第２の基地局宛てに送信する経路を設定するステップをさらに備えることを特徴とする請求項７乃至１１記載のいずれか１項に記載の通信制御方法。
【請求項１３】
複数の基地局とコアネットワークとの間に配置されるゲートウェイ装置における通信制御プログラムであって、
前記複数の基地局に含まれる第１の基地局が管理するセルから他のセルへの移動局の位置変更の開始に応じて送信される前記他のセルを管理する第２の基地局に対応付けられた基地局制御装置を示す移動先識別子と、前記複数の基地局に包括的に対応付けられた基地局制御装置の識別子が一致するか否かに基づいて、前記複数の基地局のうちの１つと前記コアネットワークのどちらに前記メッセージを送信するかを決定するステップをコンピュータに実行させる通信制御プログラム。
【国際調査報告】
2010122712.tif 000011
2010122712.tif 000012
2010122712.tif 000013
2010122712.tif 000014